(57)【要約】スティグマージック行動を活用してセキュリティを提供するためのシステムと方法。複数のセンサが、相互に通信し合うように適応される。各々のセンサは、安全な環境に対応する安定した状態から第一検知事象に対応する高められた状態に高められ得る。各々のセンサは、第一検知事象を検知した後、他のセンサを高められた状態に高めるために他のセンサと連絡をとる。セキュリティシステム内で後で発生するひとつまたは複数の第二検知事象に応答して警告信号が生成される。
2007535043.tif 000002
【特許請求の範囲】
【請求項１】
第一および第二センサを含むセキュリティシステムであって、該センサの各々は、安全環境に対応した安定状態から第一検知事象に対応した高められた状態に高められるように適応され、該センサの各々は、もう一方のセンサを該高められた状態に高めるために該もう一方のセンサと通信するよう構成され、該セキュリティシステムは、該セキュリティシステム内で発生するひとつまたは複数の第二検知事象に応答して、警告信号を生成するよう適応される、セキュリティシステム。
【請求項２】
前記センサのひとつが、前記第二検知事象の検知に応答して、前記警告信号を生成する、請求項１に記載のセキュリティシステム。
【請求項３】
前記センサのひとつが、該センサの中の他のセンサの前記第二検知事象の検知に応答して、前記警告信号を生成する、請求項１に記載のセキュリティシステム。
【請求項４】
前記センサのいずれかが、該センサのいずれかで発生する前記第二検知事象に対応した、前記警告信号を生成する、請求項１に記載のセキュリティシステム。
【請求項５】
前記センサの両方が、前記高められた状態にあり、該高められた状態にある該センサの中のひとつが、前記第二検知事象を検知した結果として、前記警告信号が生成される、請求項１に記載のセキュリティシステム。
【請求項６】
前記センサの各々が、前記もう一方のセンサに現在の状態のステータスを通信するよう構成された、請求項１に記載のセキュリティシステム。
【請求項７】
前記センサのひとつが前記高められた状態にあり、該センサのひとつが前記第二検知事象を検知した結果として、中央制御装置が前記警告信号を生成する、請求項１に記載のセキュリティシステム。
【請求項８】
前記センサの中の同一のセンサが前記第一および第二検知事象を検知した結果として、前記中央制御装置が前記警告信号を生成する、請求項７に記載のセキュリティシステム。
【請求項９】
前記センサの中の別々のセンサが前記第一および第二検知事象を検知した結果として、前記中央制御装置が前記警告信号を生成する、請求項７に記載のセキュリティシステム。
【請求項１０】
前記第一および第二センサがひとつの建物にある、請求項１に記載のセキュリティシステム。
【請求項１１】
前記第一センサはひとつの建物にあり、前記第二センサは第二の建物にある、請求項１に記載のセキュリティシステム。
【請求項１２】
前記第一検知事象がひとつの建物で発生し、前記第二検知事象が他の建物で発生する、請求項１に記載のセキュリティシステム。
【請求項１３】
ひとつの建物での第二検知事象に応答して生成された警告信号がネットワークを通じて他の建物に伝送される、請求項１に記載のセキュリティシステム。
【請求項１４】
双方向ケーブルシステムで実現される、請求項１に記載のセキュリティシステム。
【請求項１５】
前記センサのひとつが前記第二検知事象を検知し、前記センサのひとつが該第二検知事象の他の事象を検知したことに応答して、前記警告信号が生成される、請求項１に記載のセキュリティシステム。
【請求項１６】
前記第二検知事象のひとつが前記センサのひとつで検知され、該第二検知事象の他の事象が該センサのもう一方のセンサで検知される、請求項１５に記載のセキュリティシステム。
【請求項１７】
前記第二検知事象の両方とも前記センサの中の同一のセンサにより検知される、請求項１５に記載のセキュリティシステム。
【請求項１８】
前記センサの両方とも同じ前記第二検知事象を検知する、請求項１に記載のセキュリティシステム。
【請求項１９】
セキュリティを提供する方法であって、
相互に通信し合うことに適応した複数のセンサを提供するステップ、
該センサのひとつを安全な環境に対応した安定した状態から、第一検知事象に対応した高められた状態に高めるステップ、
該センサの少なくとも他のひとつを該高められた状態まで高めるために、該センサの少なくとも他のひとつと通信するステップ、および、
該高められた状態にある該センサのひとつにて発生するひとつまたは複数の第二検知事象に応答して、警告信号を生成するステップ
を包含する、方法。
【請求項２０】
前記警告信号生成ステップが、前記第二検知事象の検知に応答して、前記センサのひとつが前記警告信号を生成するステップを包含する、請求項１９に記載の方法。
【請求項２１】
前記警告信号生成ステップが、前記センサのひとつによる前記第二検知事象の検知に応答して、前記センサのもう一方が前記警告信号を生成するステップを包含する、請求項１９に記載の方法。
【請求項２２】
前記警告信号生成ステップが、前記センサのいずれかで発生する前記第二検知事象に対応した、前記警告信号を前記センサのいずれかが生成するステップを包含する、請求項１９に記載の方法。
【請求項２３】
前記センサのひとつが、該センサのもう一方に現在の状態を通信するステップをさらに包含する、請求項１９に記載の方法。
【請求項２４】
中央制御装置を提供するステップと、前記センサの少なくともひとつが前記高まった状態にあり、該センサの少なくともひとつが前記第二検知事象を検知した結果、該中央制御装置が、前記警告信号を生成するステップとをさらに包含する、請求項１９に記載の方法。
【請求項２５】
前記警告信号生成ステップが、前記センサの中の同一のセンサが前記第一および第二検知事象を検知した結果として、前記中央制御装置が前記警告信号を生成するステップを包含する、請求項２４に記載の方法。
【請求項２６】
前記警告信号生成ステップが、前記センサの中の別々のセンサが前記第一および第二検知事象を検知した結果として、前記中央制御装置が前記警告信号を生成するステップを包含する、請求項２４に記載の方法。
【請求項２７】
前記第一検知事象がひとつの建物で発生し、前記第二検知事象が他の建物で発生する、請求項１９に記載の方法。
【請求項２８】
ひとつの建物で発生した前記第二検知事象に応答して生成された前記警告信号を、ネットワークを通じて他の建物に伝送するステップをさらに包含する、請求項１９に記載の方法。
【請求項２９】
前記警告信号生成ステップが、前記センサのひとつが前記第二検知事象を検知し、該センサのひとつが他の第二検知事象を検知するステップを包含する、請求項１９に記載の方法。
【請求項３０】
前記警告信号生成ステップが、前記センサのひとつで検知された前記第二検知事象のひとつと、該センサの別のセンサで検知されたもう一方の第二検知事象を包含する、請求項２９に記載の方法。
【請求項３１】
前記警告信号生成ステップが、前記センサの中の同一のセンサによって検知された、前記第二検知事象を包含する、請求項２９に記載の方法。
【請求項３２】
前記警告信号生成ステップが、前記センサの中の別々のセンサが前記第二検知事象の中の同一の事象を検知するステップを包含する、請求項１９に記載の方法。
【発明の詳細な説明】
【技術分野】
【０００１】
本発明は、セキュリティシステムの信頼性の強化、より具体的には、セキュリティシステムの感度を最適化するように相互に協力するアラームセンサに関する。
【背景技術】
【０００２】
消費者が入手可能なセキュリティシステムには、多くの種類がある。これら既存のセキュリティシステムのうちの一部は、ＨＦＣネットワークのようなケーブルネットワークに基づき得る。これら既存のホームセキュリティシステムは、誤ったアラームを引き起こす可能性のある個別に隔離されたセンサを使用する。これら既存のセンサは、アラームを起動するために他のセンサと独立して動作するという意味で隔離されている。さらに、これら既存のセンサは、中央制御装置により監視されているが、これら中央制御装置は、センサを管理し、センサのひとつが起動されると、アラームを発信する。これら個別の既存のセンサのいずれも、故障や誤った引き金を引く可能性があり、その結果、中央制御装置がアラームを発生できなかったり、あるいは、誤って起動してしまい、その結果、中央制御装置が誤ったアラームを発生してしまったりすることがあり得る。
【０００３】
社会性昆虫は、大きい共同体の中での多数の小さな昆虫の協力的な行動に起因する複雑な集団行動でよく知られている。共同体の利益のための昆虫のこの協力的な行動は、一般にスティグマージック（ｓｔｉｇｍｅｒｇｉｃ）行動と呼ばれている。昆虫の共同体のスティグマージック行動は、既存のセキュリティシステムのセンサの自律的な行動と区別できる。必要とされているのは、アラームの条件を認定するようなスティグマージック行動を実施するセキュリティシステムである。言い換えると、必要とされているのは、アラーム信号を認定し適切に生成するために、センサが相互に作用することが可能なセキュリティシステムである。
【発明の開示】
【課題を解決するための手段】
【０００４】
本発明は、以下に、より完全に記述され、添付の図が参照される。図では同様の数字が、数枚を通して同様の要素を表している。また図では、本発明の例示的な実施形態が示されている。しかし、本発明は、多数の異なった形態で具体化され得、本明細書に示す実施形態に限定されると解釈されるべきではない。むしろ、この開示内容が充分で完全であり、当業者に発明の範囲を充分に伝達するために、実施形態が提供されている。本発明は、以下に、より完全に記述されている。
【０００５】
本発明は、ハードウェア、ソフトウェア、ファームウェア、およびそれらの組み合わせとして、加入者テレビシステム（ＳＴＳ）１００の状況の中で実施され得る。ＳＴＳ１００は多数の異なった方法で構成され得るが、一般的には、ヘッドエンド１０４と複数の加入者の建物１１０１−Ｎの間に位置するネットワーク１０２を含む双方向のケーブルシステムであり得る。加入者の建物にあるデジタル加入者コミュニケーション端末（ＤＳＣＴ）１２０は、ヘッドエンド１０４と加入者の建物１１０１−Ｎとのインターフェイスを提供する。ヘッドエンド１０４はコンテントプロバイダからプログラムの信号を受信して処理する。ＳＴＳ１００は、追加の構成要素を含むことがあり得る。また、衛星システムのように、伝送のため物理的な構造化されたケーブルを活用しないようなシステムを含むこともあり得る。
【０００６】
各々の加入者の建物１１０１−Ｎは建物内または近辺に１つまたは複数のセンサ１３０を有し得る。図２は、一対のＤＳＣＴ１２０と複数のセンサ１３０を有する加入者建物１１０１を示す。図３は、１個のＤＳＣＴ１２０と複数のセンサ１３０を有する加入者建物１１０２を示す。しかし、いずれの加入者建物１１０１−Ｎも異なった構成にされ得、ＤＨＣＴ１２０やセンサ１３０を何個でも持ち得る。
【０００７】
ある建物と関連するセンサ１３０は、イーサネット（登録商標）、ケーブル基盤、電話線基盤、電線基盤、およびワイヤレスのような標準技法を活用して相互にネットワーク接続されており、センサどうしで相互に認識し合ってコミュニケーションをとることができる。センサ１３０のネットワークは、ピアツーピアまたはポイントツーポイントのネットワークであることが好ましい。しかし、制御装置やサーバ基盤のネットワークも活用され得る。センサ１３０のネットワーックは、ネットワーク１０２と、手段を問わず、結合されていることが好ましい。例えば、図２では、センサ１３０は、いずれかあるいは両方のＤＨＣＴ１２０を活用してネットワーク１０２と結合する。
【０００８】
センサ１３０が相互に、およびネットワーク１０２とコミュニケーションをとるひとつの方法として、ハブと同軸ケーブルまたはＣａｔ５ケーブルで接続されたイーサネット（登録商標）カードを活用する方法がある。または、既存の電源コンセントや電話用ジャックを使用してセンサ１３０をネットワーク接続することも可能である。しかし、センサ間で無線周波数の信号を送付することでセンサをネットワーク接続することが好ましい。例えば、ブルートゥース、ＩｒＤＡ、ＩＥＥＥ８０２．１１、ＨｏｍｅＲＦ、Ｗｉ−Ｆｉ、その他が活用され得る。
【０００９】
個々のセンサ１３０は単独で自らの状態を判断し、現在の状態を他のどのセンサにも連絡できる。センサ１３０は、セキュリティシステムのためのセンサ１３０のネットワークを取り巻く環境の状態について、一致して協力する。したがって、センサ１３０は、インテリジェントなセンサと呼ばれ得る。センサ１３０は、開閉接触センサ、火災または煙検知器、熱検知器、光電センサ、圧力センサ、動作センサ、地震センサ、近接センサ、金属センサ、または刺激を検知可能な他のいかなるセンサでもあり得る。刺激の検知は検知事象と呼ばれ得る。
【００１０】
センサ１３０は、センサにて受信されることを目的とした刺激の種類に依存した可変の応答を提供するように適応されている。例えば、センサ１３０の中のひとつは、入射光の強度に応答して変化する出力を有する電光センサであり得る。別の例としては、ひとつまたは複数の特定の距離の閾値の範囲で開閉を検知するように構成された開閉接触センサがある。さらに別の例として、近接センサは物体のセンサとの距離に応じて異なる応答を提供し得る。センサに近づく物体は、ひとつの応答という結果になり、センサから遠ざかる物体はもうひとつの応答という結果になり得る。あるいは、物体が近づいているか遠ざかっているかにかかわらず、物体とセンサ間の距離の異なった範囲に基づいて、近接センサから可変の応答が提供され得る。他のセンサ１３０は、光、時間、温度、音、圧力、ＥＭＲなどの刺激の感度、ただしこれだけに限定されるものではないが、に基づいて可変の応答を提供し得る。
【００１１】
図４−８は、センサ１３０の状態の進行を示す。個々のセンサ１３０は、安全な環境に対応する安定した状態から、事象の検知に対応する高められた状態に高められるように適応されるべきである。図４は、４つの頂点を持つ星によって表現された複数のセンサ１３０を示しており、すべてのセンサは安定した状態にある。図５では図４のセンサ１３０が示されているが、センサの中のひとつであるセンサ１３０ａが、検知事象の検知に応答して高められた状態にあるセンサを表現するため、対応する４つの頂点の星に上書きする形でより大きい頂点が５つの星として表現されている。
【００１２】
第一の検知事象がセンサ１３０の中のひとつで検知されると、第一の検知事象を検知したセンサ１３０は、センサのネットワーク内のひとつまたは複数の他のセンサ１３０に連絡をとり、これらセンサを高められた状態に高める。図６は、図５でセンサ１３０ａが第一の検知事象を検知した結果、複数のセンサ１３０が高められた状態に高められることを示す。高められた状態にあるセンサ１３０は、対応する４つの頂点の星に上書きする形で頂点が５つの星として表現される。センサ１３０の中のいずれかひとつまたは複数のセンサが第二の検知事象を検知した場合、第二の検知事象を検知したセンサ１３０は、他のセンサ１３０と連絡をとる。図７は、センサ１３０ａが第二の検知事象に対応したさらに高められた状態にあることを示す。さらに高められた状態にあるセンサ１３０は、対応するより低い状態のセンサの表示に上書きする形で頂点が１２の星として表現される。この事例では、センサ１３０ａが第一の検知事象を検知し、第一の検知事象の発生を他のセンサ１３０に通知し、さらに第二の検知事象も検知した。しかし、第二の検知事象を検知するセンサ１３０は第一の検知事象を検知したセンサ１３０とは異なり得る。図８は、図７で示された第二の検知事象をセンサのひとつが検知することに応答して（ここで、警告信号が生成され得る）、図４の個々のセンサが、頂点が１２の星として表現されているように、さらに高められたこと示す。
【００１３】
ひとつまたは複数のセンサ１３０が高められた状態にあり、セキュリティシステム内でひとつまたは複数の第二の検知事象が発生した結果として、警告信号が生成され得る。一実施形態では、本発明のセキュリティシステムは第二の検知事象が複数回発生する必要があり得る。ひとつのセンサ１３０が第二の検知事象の発生を別個に複数回検知し得る。しかし、第二の検知事象の別個の発生は異なるセンサ１３０で検知されることが好ましい。別の実施形態では、別個のセンサ１３０が同じ第二の検知事象を検知し、ここで、警告信号が生成され得る。実施形態の中には、高められた状態が存続できる時間を制限することが望ましくあり得る。第二の検知事象が一定期間内に検知されない場合、ひとつまたは複数のセンサの高められた状態は時間切れとなり得る。
【００１４】
センサ１３０自体の中のひとつが第二の検知事象を検知するか、または他のセンサが第二の検知事象を検知すると、そのセンサ１３０は警告信号を生成し得る。あるいは、センサ１３０のネットワーク化に活用できるＤＨＣＴ１３０のような中央制御装置が警告信号を生成することもあり得る。中央制御装置は、センサ１３０のうちのひとつが高められた状態にあり、同じセンサ１３０か、どれか他のセンサ１３０が第二の検知事象を検知した結果として警告信号を生成し得る。ひとつの建物で生成された警告信号はネットワーク１０２経由で別の建物に伝送され得る。または、制御センタ１０４に伝送され、そこから他の建物に伝送され得る。他の実施形態では、制御センタ１０４自体が警告信号を生成し、警告信号をネットワーク１０２経由で他の加入者の建物に伝送し得る。一実施形態では、制御センタ１０４は、的確な応答を起動するために、警告信号を監視し、解釈し、処理するよう適応された加入者テレビシステムのヘッドエンドに設けられ得る。ヘッドエンドは、警告信号を生成したり、加入者の建物や地域単位でセンサの状態を高めるために必要となるような注意を発し得る、緊急アラートレシーバー（ＥＡＲ）と一般に呼ばれているものを含み得る。例えば、お互いに離れている加入者の建物はヘッドエンドから警告信号を受信し得る。
【００１５】
第一の検知事象を検知するセンサ１３０と、後にまたは同時に第二の検知事象を検知するセンサ１３０は、同一の建物にあり得る。例えば、図２において、加入者建物１１０１の下の階にあるセンサ１３０が第一の検知事象を検知し、加入者建物１１０１の上の階にあるセンサ１３０が第二の検知事象を検知し得る。あるいは、図２の加入者建物１１０１のセンサ１３０が第一の検知事象を検知し、第二の加入者建物、例えば図３の加入者建物１１０２、のセンサ１３０が第二の検知事象を検知し得る。このような場合、加入者建物１１０１のセンサ１３０はネットワーク１０２を通じて連絡をとり、加入者建物１１０２などの他の加入者建物のセンサ１３０を高める。別の実施形態では、ひとつの建物にあるひとつのセンサ１３０が第二の検知事象を検知し、別の建物にある別のセンサ１３０が同じ第二の検知事象を検知し得る。
【００１６】
上述のセキュリティシステムの使用は、セキュリティシステム自体に加えて、本発明の創意に富んだ方法を構成する。上述のようにセンサ１３０によりセキュリティを提供する方法を実践するにあたり、そのステップは、上述のように相互にコミュニケーションをとるように適応された複数のセンサ１３０を提供することを含む。この方法は次に、センサ１３０の中のひとつを、安全な環境に対応した安定した状態から、第一の検知事象に対応した高められた状態に高めることを含む。この方法はまた、少なくとももうひとつ別のセンサ１３０と連絡をとり、少なくとももうひとつ別のセンサ１３０を高められた状態に高めることを含む。次に、この方法は、高められた状態にあるセンサの中のひとつにおけるような、セキュリティシステム内において発生する、ひとつまたは複数の第二の検知事象に応答して、警告信号を生成することを含む。
【００１７】
一実施形態では、警告信号生成ステップは、センサの中のひとつが、第二の検知事象を検知したことに応答して、警告信号を生成することを含み得る。または、警告信号生成ステップは、センサの中のひとつが、別の異なるセンサが第二の検知事象を検知したことに応答して、警告信号を生成することを含み得る。別の実施形態では、この方法は、少なくともセンサの中のひとつが高められた状態にあり、少なくともセンサの中のひとつが第二の検知事象を検知した結果として、警告信号を生成するための中央制御装置を提供することを含み得る。あるいは、中央制御装置は、同じセンサが第一と第二の検知事象の両方を検知した結果として警告信号を生成し得る。
【００１８】
他の実施形態では、この方法は、第一の検知事象がひとつの建物で発生し、第二の検知事象が別の異なる建物で発生するステップを含み得る。または、警告信号生成ステップは、センサの中のひとつが第二の検知事象を検知し、センサのうちのひとつが別の異なる第二の検知事象を検知することを含み得る。
【００１９】
前述にて、本発明のより適切な側面と特徴のいくつかを広範に概説した。これらは、本発明のより顕著な特徴と適用のいくつかについての単なる実例と解釈されるべきである。開示された情報を異なった方法で適用したり、開示された実施形態を修正することにより、他の有益な結果が得られ得る。したがって、特許請求の範囲により定義された本発明の範囲に加えて、付随した図解と組み合わせて取り上げられた例示的な実施形態の詳細な記述を参照することにより、本発明の他の側面やより包括的な理解が得られ得る。
【図面の簡単な説明】
【００２０】
【図１】図１は、本発明が展開され得るブロードバンドコミュニケーションシステムの一実施形態を図示する。
【図２】図２は、図１のコミュニケーションシステムに接続された複数のセンサを有するひとつの建物を図示する。
【図３】図３は、図１のコミュニケーションシステムに接続された複数のセンサを有する他の建物を図示する。
【図４】図４は、安全な環境に対応する安定した状態にある本発明のセンサを図示する。
【図５】図５は、第一検知事象に対応する高められた状態にある図４のセンサの中のひとつを図示する。
【図６】図６は、センサの中のひとつが図５に示されたように第一検知事象を検知したことに応答して高められた状態にある図４のセンサを図示する。
【図７】図７は、第二検知事象に対応するさらに高められた状態にある図４のセンサの中のひとつを図示する。
【図８】図８は、センサの中のひとつが警告信号が生成され得る図７に示されたように第二検知事象を検知したことに応答してさらに高められた状態にある図４のセンサの各々を図示する。
【図１】
2007535043.tif 000003
【図２】
2007535043.tif 000004
【図３】
2007535043.tif 000005
【図４】
2007535043.tif 000006
【図５】
2007535043.tif 000007
【図６】
2007535043.tif 000008
【図７】
2007535043.tif 000009
【図８】
2007535043.tif 000010
【国際調査報告】
2007535043.tif 000011
2007535043.tif 000012